(57)【要約】【課題】コインを用いて容易にバルブを開放させ、その状態でロックし、エアゾール組成物を確実に全量排出することができるエアゾール製品用の噴射部材を提供する。【解決手段】エアゾールバルブのステムに装着され、上下動可能な押しボタン１５１と、エアゾール容器の頭部に装着されるカバー部材１３２とからなり、前記カバー部材１３２が、円筒状の装着部１４６と、前記押しボタンのほぼ全体を覆うカバー部１４９と、前記カバー部の後方上部の上部開口部に配置され前記装着部の後方上端と薄肉部１５０で連結された操作部１５１とからなり、前記カバー部の天部に係止部１５３が形成されており、前記係止部の下面１５３ａが操作部の上面１５１ａとほぼ同じの高さになるように構成されており、前記係止部の下面１５３ａと操作部の上面１５１ａとの間にコインを挿入して、エアゾールバルブを開放位置で保持する、噴射部材１３０。【選択図】図４
2007331844.tif 000002
【特許請求の範囲】
【請求項１】
耐圧容器の開口部にエアゾールバルブを固着したエアゾール容器に装着される噴射部材であって、
エアゾールバルブのステムに装着され、上下動可能な押しボタンと、
その押しボタンを覆うようにエアゾール容器の頭部に装着されるカバー部材とからなり、
前記カバー部材が、エアゾール容器に装着される円筒状の装着部と、前記押しボタンのほぼ全体を覆うカバー部と、前記カバー部の後方上部の上部開口部に配置され前記装着部の後方上端と薄肉部で連結された操作部とからなり、
前記カバー部の天部に係止部が形成されており、
前記係止部の下面が操作部の上面とほぼ同じの高さまたは操作部の上面より若干低くなるように構成されており、
前記係止部の下面と操作部の上面との間にコインを挿入して、エアゾールバルブを開放位置で保持する、噴射部材。
【請求項２】
耐圧容器の開口部にエアゾールバルブを固着したエアゾール容器に装着される噴射部材であって、
エアゾールバルブのステムに装着され、上下動可能な押しボタンと、
エアゾール容器の頭部に装着されるカバー部材とからなり、
前記カバー部材が、エアゾール容器に装着される装着部と、その装着部から上方に延びる一対の側壁部を有し、
前記それぞれの側壁部の内面に内向きに突出する突出部が形成されており、
前記突出部の下面が押しボタンの上面とほぼ同じ高さになるように構成されており、
前記突出部と押しボタンの上面との間にコインを挿入して、エアゾールバルブを開放位置で保持する、噴射部材。
【請求項３】
前記突出部が、傾斜した上面を有する上部と、押しボタンの上面に対して平行な下面を有する下部とからなる、請求項２記載の噴射部材。
【請求項４】
前記側壁部の噴射孔側の上部に係止段部が形成されており、前記突出部の下部の下面と係止段部の下面とは同じ高さである、請求項３記載の噴射部材。
【請求項５】
前記カバー部材の装着部のやや後部上方に、スリットが形成されており、
このスリットにコインを差し込み、コインの後端を持ち上げることによりコインがエアゾールバルブと当接して支点となり、てこの原理で合成樹脂製のカバー部材を金属製のエアゾール容器から取り外すことができる、請求項１または２記載の噴射部材。
【発明の詳細な説明】
【技術分野】
【０００１】
本発明はエアゾール製品用の噴射部材に関する。さらに詳しくは、不要になったエアゾール製品を廃棄する際、エアゾール容器内に残っているエアゾール組成物を簡単な方法により確実に外部へ全量排出することができるエアゾール製品用の噴射部材に関する。
【背景技術】
【０００２】
【特許文献１】特開２００１−１８０７７３号公報
【特許文献２】特開２００２−１２２７６号公報
【特許文献３】特開２０００−１７７７８６号公報
【特許文献４】特開平９−４００４５号公報
【特許文献５】特開２００２−２８３８号公報
【特許文献６】特開２０００−１９１０６２号公報
【特許文献７】特開２００２−５３１８７号公報
【特許文献８】特開２０００−１９１０６０号公報
【特許文献９】特開２００２−１９３３６２号公報
【特許文献１０】特開２００１−３０１８５３号公報
【特許文献１１】特開２００３−１２０６１号公報
【特許文献１２】特開２００１−３１１５８号公報
【特許文献１３】再公表特許ＷＯ２００３／０７６３０６号公報
【０００３】
エアゾール容器は、耐圧容器と、その開口部に取付けられたエアゾールバルブとからなり、容器内に内容物として有効成分を含む原液と、液化石油ガスやジメチルエーテルなどの可燃性の液化ガスなどの噴射剤を充填し、さらに噴射部材を装着してエアゾール製品となる。
エアゾール製品は常温で０．２〜０．６ＭＰａ程度の圧力があり、噴射部材を押し下げるなどの噴射操作によりバルブを開放すると容器内部のエアゾール組成物は外部に噴射される。
【０００４】
現在、不要になったエアゾール製品は消費者により容器内にエアゾール組成物が残っていない状態（空の状態）にしてもらい不燃性のゴミとして回収されているが、回収する際にパッカー車などの回収車内でエアゾール製品が圧縮されて容器が破裂し、火災を起こす事故が発生している。エアゾール製品には、使い切ってから廃棄するように注意書きや表示を設けているが、依然として容器内部にエアゾール組成物が残ったままの状態で廃棄されていることがあり、火災事故を引き起こしやすくなっている。
【０００５】
しかし、消費者が使用目的とは別に自発的に容器内が空になるまで噴射操作を行うことは手間である。特に多くのエアゾール製品は、指で噴射部材の押しボタンを押し下げて噴射操作を行うが、完全に噴射が終了するまで噴射部材を押し続ける必要があり、手間がかかる。
【０００６】
このような問題に対して、エアゾール容器内に残っているエアゾール組成物を排出しやすくする手段として、たとえば押しボタンなどを取り外し、排出具をバルブに直接取り付け、バルブを常時開放状態とする排出機構が知られている（特許文献１、２、３、４参照）。そして、このような機構を有するものであって、エアゾール製品の通常の使用を妨げないように、上述の排出具がエアゾール製品のキャップに取り付けられているものを特許文献１は開示しており、特許文献１のキャップを耐圧容器の底部に取り付けられているものを特許文献３は開示している。また、特許文献４は押しボタンを取り外し、押しボタンを反転させてキャップの内部に装着し、キャップをカバー部材に装着することでバルブを開放状態にするものを開示している。
【０００７】
また、押しボタンなどの噴射部材を取り付けたまま排出具を取り付け、バルブを常時開放状態とする排出機構が知られている。特許文献５は、キャップの天面に押しボタンを押し下げる突起と、カバー部材にキャップを装着するための係合突起とが設けられており、キャップを反転させ、キャップの上面をカバー部材に取り付けることにより、押しボタンを押し下げ、バルブを常時開放状態とするものを開示している。また、特許文献６、７はキャップの天面の一部を折り曲げる、あるいは押し下げた状態で容器に装着することにより、押しボタンを押し下げ、バルブを常時開放状態とするものを開示している。
【０００８】
さらに、押しボタンとカバー部材またはキャップとを用いバルブを常時開放状態とすることができる排出機構が知られている。特許文献８は、押しボタンに取り付けられた回動突起を上方に立ち上げ、キャップを容器に取り付けることにより、その回動突起がキャップ天面と当接し、押しボタンが押し下げられるものを開示している。特許文献９は、押しボタンを回転して押しボタンの突起をカバー部材に係合させ、押しボタンを押し下げ位置に保持するものを開示している。特許文献１０は、押しボタンを押し下げた状態で押しボタン後部のレバーを摘んで回し、レバーをカバー部材の溝に係合させるものを開示している。また、特許文献１１は、押しボタンを押し下げた後、押しボタン後部の回動レバーを回すことにより回動レバーをカバー部材に係合させるものを開示している。
【０００９】
そして、特許文献１２は押しボタンとカバー部材とからなる噴射部材であって、押しボタンを押し下げた後、押しボタンの上面とカバー部材との間に平板を挟むことによって、ボタンを常時押し下げ状態とすることができるものを開示している。
【発明の開示】
【発明が解決しようとする課題】
【００１０】
本発明は、押しボタンとカバー部材とからなる噴射部材であって、硬貨などのコインを用いて、簡単な方法でエアゾール容器内に残っているエアゾール組成物を確実に全量排出することができるエアゾール製品用の噴射部材を提供することを目的としている。
【課題を解決するための手段】
【００１１】
本発明のエアゾール製品用の噴射部材は、耐圧容器の開口部にエアゾールバルブを固着したエアゾール容器に装着される噴射部材であって、エアゾールバルブのステムに装着され、上下動可能な押しボタンと、その押しボタンを覆うようにエアゾール容器の頭部に装着されるカバー部材とからなり、前記カバー部材が、エアゾール容器に装着される円筒状の装着部と、前記押しボタンのほぼ全体を覆うカバー部と、前記カバー部の後方上部の上部開口部に配置され前記装着部の後方上端と薄肉部で連結された操作部とからなり、前記カバー部の天部に係止部が形成されており、前記係止部の下面が操作部の上面とほぼ同じ高さまたは操作部の上面より若干低くなるように構成されており、前記係止部の下面と操作部の上面との間にコインを挿入して、エアゾールバルブを開放位置で保持することを特徴としている（請求項１）。
【００１２】
本発明のエアゾール製品用の噴射部材の第２の態様は、耐圧容器の開口部にエアゾールバルブを固着したエアゾール容器に装着される噴射部材であって、エアゾールバルブのステムに装着され、上下動可能な押しボタンと、エアゾール容器の頭部に装着されるカバー部材とからなり、前記カバー部材が、エアゾール容器に装着される装着部と、その装着部から上方に延びる一対の側壁部を有し、前記それぞれの側壁部の内面に内向きに突出する突出部が形成されており、前記突出部の下面が押しボタンの上面とほぼ同じ高さとなるように構成されており、前記突出部と押しボタンの上面との間にコインを挿入して、エアゾールバルブを開放位置で保持することを特徴としている（請求項２）。
【００１３】
本発明の噴射部材の第２の態様において、前記突出部が、傾斜した上面を有する上部と、押しボタンの上面に対して平行な下面を有する下部とからなるものが好ましい（請求項３）。また、前記側壁部の噴射孔側の上部に係止段部が形成されており、前記突出部の下部の下面と係止段部の下面とは同じ高さであるものが好ましい（請求項４）。
【００１４】
本発明の噴射部材のいずれの態様においても、前記カバー部材の装着部のやや後部上方には、スリットが形成されており、このスリットにコインを差し込み、コインの後端を持ち上げることによりコインがエアゾールバルブと当接して支点となり、てこの原理で合成樹脂製のカバー部材を金属製のエアゾール容器から取り外すことができるものが好ましい（請求項５）。
【発明の効果】
【００１５】
本発明のエアゾール製品用の噴射部材（請求項１）は、カバー部材のカバー部の天部に係止部を備えており、その係止部の下面が操作部の上面とほぼ同じ高さあるいは操作部の上面より若干低くなるように構成されており、その係止部の下面と操作部の上面との間にコインを挿入してエアゾールバルブを開放位置で保持できるため、日常生活で使用する硬貨などのコインを操作したエアゾールバルブの開放を容易に行うことができ、エアゾール製品使用後の内容物の排出が容易である。
【００１６】
本発明のエアゾール製品用の噴射部材の第２の態様（請求項２）は、カバー部材が装着部から上方に延びる一対の側壁部を有し、その側壁部の内面に突出部が形成されており、前記突出部の下面が押しボタンの上面とほぼ同じ高さとなるように構成されており、その突出部と押しボタンの上面との間にコインを挿入して、エアゾールバルブを開放位置で保持できるため、エアゾール製品使用後の内容物の排出が容易である。
【００１７】
このような噴射部材であって、前記突出部が、傾斜した上面を有する上部と、押しボタンの上面に対して平行な下面を有する下部とからなる場合（請求項３）、コインの挿入が一層容易である。
【００１８】
さらに、前記側壁部の噴射孔側の上部に係止段部が形成されており、前記突出部の下部の下面と係止段部の下面とが同じ高さにある場合（請求項４）、コインをしっかり保持することができる。
【００１９】
上述したいずれの噴射部材であって、前記カバー部材の装着部のやや上方には、スリットが形成されており、このスリットにコインを差し込み、コインの後端を持ち上げることによりコインがエアゾールバルブと当接して支点となり、てこの原理でカバー部材を取り外すことができる場合（請求項５）は、コインを用いて排出処理した後、引き続きコインを用いて合成樹脂製のカバー部材を金属製のエアゾール容器から取り外すことができ、分別廃棄しやすくなる。
【発明を実施するための最良の形態】
【００２０】
次に本発明のエアゾール製品に用いられる噴射部材の実施形態を図面を用いて説明する。図１は本発明の範囲外の噴射部材を取り付けたエアゾール製品の一実施形態を示す側面図、図２ａ、図２ｂ、図２ｃ、図２ｄは図１に用いられている噴射部材を示す正面図、背面図、側面図、平面図、図３ａは図１に用いられている噴射部材を示す側面断面図、図３ｂは図１に用いられている噴射部材にコインを取り付けたときの状態を示す側面断面図、図４は本発明の噴射部材の実施形態を示す側面断面図、図５ａは図４の噴射部材にコインを取り付けたときの側面断面図、図５ｂおよび図５ｃはその噴射部材にコインを取り付けたときの背面図、平面図、図６ａは本発明の噴射部材の他の実施形態を示す側面断面図、図６ｂはその平面図、図６ｃはその噴射部材の一部斜視図、図６ｄ、図６ｅはその噴射部材に用いられる突出部の側面図、図６ｆはその噴射部材に用いられる突出部の他の実施形態を示す一部斜視図、図７ａ、図７ｂは図６ａの噴射部材にコインを取り付ける手段を示す側面断面図、図７ｃはその噴射部材を取り外す手段を示す側面断面図、図８ａ、図８ｂ、図８ｃ、図８ｄは本発明の噴射部材のさらに他の実施形態を示す正面図、背面図、側面断面図、平面図である。
【００２１】
図１に示すエアゾール製品１０は、耐圧容器１１と、その耐圧容器の開口部に固着したエアゾールバルブ１２（以下、バルブ）とからなるエアゾール容器１３と、エアゾール容器の頭部に装着した噴射部材１４と、エアゾール容器内部に充填されているエアゾール組成物Ａとからなる。
【００２２】
耐圧容器１１は、従来公知のものであり、ブリキ、錫−ニッケル系鋼板（ＴＮＳ）などの金属板を円筒状にした胴部１１ｂに、底部１１ａと目金１１ｃとを二重巻き締めにより固着した３ピース缶であり、目金の上端開口にはビード部１１ｄを形成している。なお、耐圧容器１１として、例えば、アルミニウム、ブリキ等の金属板をインパクト加工または絞り加工などによって有底筒状に形成し、さらにネッキング加工、カーリング加工によって肩部、ビード部を形成したものを用いても良い。また、合成樹脂や耐圧ガラスなど、耐圧性を有する他の材質のものであってもよい。
【００２３】
バルブ１２も従来公知のものであり、耐圧容器１１のビード部１１ｄに固定されるマウンティングカップ１９と、そのマウンティングカップの中央に保持される筒状のハウジング２０と、そのハウジング内に上下移動自在に収容され、スプリングにより常時上向きに付勢されているステム２１と、ステム２１がスプリングの反発力により上向きに付勢されている状態でステムのステム孔を覆いエアゾール容器内部を密封するステムラバー（図示せず）と、前記ハウジングの下端から耐圧容器本体の底部に延びているディップチューブ２２とからなる。
【００２４】
噴射部材１４は、エアゾール容器の頭部（マウンティングカップのカール部分）に装着されるカバー部材２４と、ステムの上部に装着される押しボタン２５とからなる。前記カバー部材２４は、図２ａ〜図２ｄ、図３ａ、図３ｂに示すように、マウンティングカップのカール部分に装着するため装着部２７と、押しボタン２５の両側面を覆う一対の側壁部２４ａとを備えている。前記側壁部２４ａは、押しボタン２５の両側面を覆うように装着部２７から上方に延びており側壁部２４ａの天面は押しボタンの天面２５ａよりも高い位置にある。該側壁部２４ａにより、未使用時は押しボタン２５にモノが当たって不意にエアゾール組成物が噴射するなどの誤作動を防止できると共に、通常の使用においては指で、また排出操作のときはコインを用いて押しボタン２５を垂直下方へ押し下げることが容易にでき、バルブを確実に開放することができる。また、図２ｂに示すように、側壁部２４ａの後部には水平方向に延びるスリット３０が形成されている。このスリット３０の幅は１〜３ｍｍ、好ましくは１〜２．５ｍｍであり、スリット３０の下面３０ａは、押しボタン２５を押し下げていない状態に置いて、押しボタンの天面２５ａよりも下方にある。
【００２５】
カバー部材２４の噴射孔側（前面）は押しボタン２５が押し下げられた状態でも噴射孔３６が露出するように窪んでおり、カバー部材２４の後部側は、押しボタンの頭部を指で押し下げられるように窪んでいる。
前記押しボタン２５は、ステム２１に装着するためのステム装着部３５と、エアゾール組成物を外部（大気）に噴射するための噴射孔３６と、ステム装着部３５と噴射孔３６とをつなぐ通路３７とを有する（図３ａ参照）。
【００２６】
コイン１６は、図２ｄの想像線で示すように薄厚の円板であり、その大きさは直径が２０〜３０ｍｍ、厚さが１〜３ｍｍであり、硬貨やメダルなどを用いることができる。コインは、銅、亜鉛、すず、ニッケル、アルミニウムおよびこれらの混合物（合金）などの金属からなるものが好ましく、ポリアセタールやポリアミド、ポリオレフィン、ポリエステルなどの合成樹脂製のカバー部材よりも硬度が高いため、コインを挿入しやすく、またコインを引き抜きやすい。また、コイン１６の厚さは前記スリット３０の幅より若干大きいものが好ましい。これにより、コイン１６をスリット３０に嵌入すると、コインとスリットとの間の摩擦により、コイン１６は外れにくくなる。また、このコイン１６は、日常生活で使用している硬貨を用いることができるため、付属のコインを紛失してもこれらの硬貨を用いて排出操作を行うことができる。また、この実施形態ではコイン１６をエアゾール製品に備えたものを開示しているが、硬貨等の日常品を用いることができるため、エアゾール製品の付属品として設けなくてもよい。
【００２７】
このような噴射部材１４を取り付けたエアゾール製品１０は、通常の使用に置いては、押しボタンの天面（上面）２５ａを指で押し下げることにより、押しボタンと共にステムが押し下げられてバルブのステム孔が開放される。このときエアゾール容器内部と大気とが連通し、エアゾール容器内部のエアゾール組成物がディップチューブを通ってハウジング内部に供給され、さらにステム孔、押しボタンの通路を経由して噴射孔から大気中へ噴射される。
【００２８】
また、エアゾール製品が不要になり廃棄したいときには、指などで押しボタンの天面（上面）２５ａを押し下げ、この状態でコイン１６をスリット３０に挿入する。このとき、押しボタンの天面（上面）２５ａはコイン１６の下面と当接するため、指を離しても押しボタン２５は上昇せずにエアゾールバルブが開放している位置で維持される（図３ｂ参照）。コイン１６を挿入している間はエアゾール製品は大気と連通した開放状態が維持されるため、エアゾール容器内部に残っているエアゾール組成物を全量排出することができる。なお、スリット３０に挿入したコイン１６には、スプリングの反発力が押しボタン２５を介して容器の軸方向上向きに加わるため、コイン１６とスリット３０との間の半径方向の摩擦力は一層高くなり、コイン１６は外れにくくなる。エアゾール製品から排出が停止すると、コイン１６を引き抜くことでコイン１６を回収することができる。なおコイン１６をつけたまま廃棄した場合は、エアゾール製品を回収する人が排出処理を行ったエアゾール製品であることを認識することができるため、さらに好ましい。この場合、耐圧容器と同じ材質のコインを用いることが、リサイクルしやすい点から好ましい。
【００２９】
図４の噴射部材１３０は、バルブのステムに装着される押しボタン１３１と、その押しボタンを覆うようにエアゾール容器に装着されたカバー部材１３２とから構成される。
【００３０】
押しボタン１３１は、噴射ノズル（ロングノズル）１３３と、その噴射ノズルを結合しバルブのステムに装着された押しボタン本体１３４とからなる。
噴射ノズル１３３は、押しボタン本体１３４の係合部１３５と係合する基端部１３６と、基端部に装着され内部に噴射通路（第１通路１３７）を有するノズル部１３８と、ノズル部の先端に装着され噴射孔１３９を有する噴射部１４０とから構成されている。基端部１３６は半球状ないし半円柱状であり、押しボタン本体１３４の係合部１３５との係合個所を軸として９０度回動できるように構成されている。さらに基端部１３６には、第１通路１３７と独立し、かつ、第１通路の軸方向と垂直に延びる第２通路１４１が形成されており、第２通路の先端には噴射孔１４２を有するチップ１４３が装着されている。
【００３１】
押しボタン本体１３４は、噴射ノズル１３３と係合する係合部１３５と、ステムに装着されるステム装着部１４４と、係合部とステム装着部とを連通するＬ字型通路１４５とから構成されている。
【００３２】
カバー部材１３２は、エアゾール容器の巻締部に装着される円筒状の装着部１４６と、押しボタンのほぼ全体を覆うカバー部１４９と、装着部の後方上端と薄肉部１５０で連結され押しボタンを押し下げるための操作部１５１とから構成されている。また、カバー部１４９は装着部の後方上部に形成された上部開口部１４７と、前方に形成された前方開口部１４８とを有している。さらに、カバー部の天面（天部）１５２の一部に係止部１５３が形成されており、この係止部の下面１５３ａが操作部の天面（上面）１５１ａと同じ高さ、あるいは操作部の天面（上面）１５１ａより若干低くなるように構成されている。
【００３３】
このように構成される噴射部材１３０は、通常の使用においては、上部開口部１４７に指を挿入して操作部１５１を操作すると、押しボタン１３１が押し下げられてバルブが開放され、エアゾール容器内部のエアゾール組成物がステムを経由してＬ字型通路１４５に流出する。このとき噴射ノズルが図４のようにエアゾール容器の軸線と平行である場合は、エアゾール組成物はＬ字型通路１４５から第２通路１４１を通り、チップ１４３の噴射孔１４２から外部に噴射される。一方、噴射ノズルを９０度回動してエアゾール容器の軸と垂直にした場合は、エアゾール組成物はＬ字型通路１４５から第1通路１３７を通り、噴射部１４０の噴射孔１３９から外部に噴射される。
【００３４】
また、エアゾール製品が不要になり廃棄したい場合には、カバー部の上部開口部１４７からコイン１６を入れ、操作部１５１を押し下げながら係止部の下面１５３ａと操作部の天面（上面）１５１ａとの間にコイン１６を挿入する（図５ａ〜ｃ参照）。挿入したコイン１６はバルブスプリングの反発力が下方から加わった状態で係止部下面１５３ａに当接するため、しっかりと保持される。これにより押しボタン１３１を押し下げた状態、つまりエアゾール容器内部と大気とを連通させた状態で保持することができ、エアゾール容器内部に残存していたエアゾール組成物を全量排出することができる。なお、この実施の形態では操作部１５１はカバー部１４９と薄肉部１５０で連結しているが、押しボタン１３１と一体にしても良い。
【００３５】
図６ａ、図６ｂの噴射部材１６０は、エアゾール容器に装着する装着部１６１およびその装着部から上方に延びている一対の側壁部１６２を備えているカバー部材１６３と、エアゾール組成物を三方向に同時に噴射する３つの噴射孔１６４ａ、１６４ｂ、１６４ｃを有する噴射ノズル１６４を装着した押しボタン１６５とから構成されている。側壁部１６２の内面には図６ｂの二点鎖線で示すように、エアゾール容器の中心軸（ステム）を含む面上に、内向きに突出する突起（突出部）１６６が２ヶ所形成されており、側壁部の噴射孔側の上部には係止段部（係止部）１６７が形成されている。突起１６６は、側壁部の内面に対して傾斜した天面を有する突起上部１６６ａと押しボタンの天面（上面）に対して平行な下面を有する突起下部１６６ｂとから構成されている（図６ｃ〜６ｅ参照）。また押しボタンの天面（上面）には、円弧状の側壁１６５ｂがその両側端に突出して設けられており、押しボタンを押し下げていない状態では側壁１６５ｂの上端は突起の下面１６６ｂと同じ、または下面１６６ｂよりも上方にあるのが好ましい。さらに、突起の下面１６６ｂと係止段部の下面１６７ａとは、挿入したコインを水平状態にしてしっかり保持できるように同じ高さであることが好ましい。なお押しボタンの天面（上面）１６５ａにはエアゾール組成物の種類や噴射方向を示す表示、たとえばマークや点字などを設けても良い。
【００３６】
このように構成される噴射部材１６０は、通常の使用においては、押しボタンの天面１６５ａを指で押し下げるとバルブが開放され、エアゾール容器内部のエアゾール組成物がステム、押しボタン内の通路を通り、３つの噴射孔１６４ａ、１６４ｂ、１６４ｃからそれぞれ上斜め方向、水平方向、下斜め方向に噴射される。噴射された粒子は噴射のエネルギーが３方向に分散されるため遠方には到達しないが、近距離で広範囲に拡散する。また噴射された粒子はヘアスプレーや空間用殺虫剤などのように微細な粒子径ではないため、床面に噴射しても跳ね返りが無く、たとえば、カーペットや畳などに噴射するエアゾール製品に好適に用いることができる。
【００３７】
また、エアゾール製品が不要になり廃棄したい場合には、先ず図７ａのように側壁部上部の係止段部１６７と側壁部内面の突起上部１６６ａとの間に斜め上方からコイン１６を挿入する。このときコインは先端１６ａが側壁部の内壁に当接するまで挿入するのが好ましい。次いで図７ａの状態からコイン１６が斜め上方を向いている後端１６ｂを下方に押し下げると、コインの先端１６ａと側壁部の内壁との当接部付近を軸として、コイン１６は突起上部１６６ａの斜面に沿って下方に移動し、さらに突起を乗り越え、コインの上面が突起下面１６６ｂに係止される（図７ｂ参照）。これにより、押しボタンはバルブが開放される位置まで押し下げられる。このときコイン１６は係止段部の下面１６７ａおよび突起の下面１６６ｂと押しボタンの側壁１６５ｂとの間で保持され、エアゾール容器内部と大気とを連通させた状態で保持することができ、エアゾール容器内部に残存していたエアゾール組成物を全量排出することができる。
【００３８】
さらに、この噴射部材１６０はカバー部材の装着部１６１のやや上方にスリット１６８を設けている。このスリット１６８はカバー部材１６３の取り外し手段であり、スリット１６８にコイン１６を差し込み、コインの後端１６ｂを図７ｃの矢印の方向に持ち上げることにより、コインがバルブに当接して支点となり、テコの原理を利用してカバー部材をエアゾール容器から取り外すことができる。これにより、エアゾール容器内のエアゾール組成物をコインを用いて排出処理した後、引き続きコインを用いて合成樹脂製のカバー部材を金属製のエアゾール容器から取り外すことができ分別廃棄しやすくなる。
【００３９】
図６ｆにこの噴射部材１６０に用いられる突出部の他の形態を示す。この突出部１６９は、突出部上部１６９ａと突出部下部１６９ｂとから構成されている。この突出部上部１６９ａの上端が側壁部１６２と連結しており、その上端から側壁部の内側方向に傾斜しながら突出している。また、突出部下部１６９ｂは、突出部上部の下端から垂直方向下に延びている。さらに、側壁部１６２の突出部１６９との連結部（突出部上部の上端）から下方はスリットが形成されている。このように構成されているため、図７ａのようにコインを斜め挿入して、コインの後端付近をコインが平行となるように押し下げると突出部は下方にたわみ、突出部１６９自体が板バネとして作用する。そのため、図７ａの状態から図７ｂの状態に操作するとき、一層滑らかに操作することができる。
【００４０】
図８ａの噴射部材１７０は、エアゾール容器の頭部に装着されるカバー部材１７１と、ステムに装着される押しボタン１７２とからなり、前記カバー部材は装着部１７３と、その装着部から上方に延びている一対の側壁部１７４ａ、１７４ｂと、装着部の後方上部にスリット１７６を備えている（図６ｂ）。この両側壁部１７４ａ、１７４ｂの内面には、図６の噴射部材１６０と同じように内側に向かって突出する突起１７５が形成されており、また、側壁部の噴射孔側の上部にはやや下方に延びる係止段部１７７が形成されている。なお突起１７５は、エアゾール容器の中心軸から後方に２ヶ所設けられている。押しボタン１７２も図６の噴射部材１６０と同じように、天面１７２ａの両側端に円弧状の側壁１７２ｂが突出しており、押しボタンを押し下げていない状態では側壁１７２ｂの上端は突起の下面１７５ｂよりも上方にある（図８ｃ）。また押しボタンの天面１７２ａにエアゾール組成物の種類や噴射方向を示す表示、たとえばマークや点字などを設けても良い。
【００４１】
このように構成される噴射部材１７０は、通常の使用においては、押しボタンの天面１７２ａを指で押し下げるとバルブが開放され、エアゾール容器内部のエアゾール組成物がステム、押しボタン内の通路を通り、噴射孔から噴射される。この実施の形態では１つの噴射孔からエアゾール組成物を噴射するため、噴射された粒子は遠方に到達しやすく、空間に噴射する殺虫剤などのエアゾール製品に好適に用いられる。
【００４２】
また、エアゾール製品が不要になり廃棄したい場合には、図７ａと同じように、側壁部上部の係止段部１７７と側壁部内面の突起上面１７５ａとの間に斜め上方からコイン１６を挿入する。次いでコインの後端１６ｂを下方に押し下げると、コイン１６は突起上面１７５ａの斜面に沿って下方に移動し、さらに突起を乗り越えることにより、コイン上面が突起下面１７５ｂより係止され、バルブが開放される位置で保持される。このときコイン１６は係止段部の下面１７７ａおよび突起の下面１７５ｂと押しボタンの側壁１７２ｂとの間で保持され、エアゾール容器内部と大気とを連通させた状態で保持することができ、エアゾール容器内部に残存していたエアゾール組成物を全量排出することができる。さらに、カバー部材のスリット１７６にコイン１６を差し込み、コインの後端を持ち上げることにより、テコの原理を利用してカバー部材をエアゾール容器から取り外すことができる。
【図面の簡単な説明】
【００４３】
【図１】本発明の噴射部材を取り付けたエアゾール製品の一実施形態を示す側面図である。
【図２】図２ａ、図２ｂ、図２ｃ、図２ｄは図１に用いられている噴射部材を示す正面図、背面図、側面図、平面図である。
【図３】図３ａは図１に用いられている噴射部材を示す側面断面図、図３ｂは図１に用いられている噴射部材にコインを取り付けたときの状態を示す側面断面図である。
【図４】本発明の噴射部材のさらに他の実施形態を示す側面断面図である。
【図５】図５ａは図４の噴射部材にコインを取り付けたときの側面断面図であり、図５ｂおよび図５ｃはその噴射部材にコインを取り付けたときの背面図、平面図である。
【図６】図６ａは本発明の噴射部材のさらに他の実施形態を示す側面断面図であり、図６ｂはその平面図、図６ｃはその噴射部材の一部斜視図であり、図６ｄ、図６ｅはその噴射部材に用いられる突起の側面図であり、図６ｆはその噴射部材に用いられる突起の他の実施形態を示す一部斜視図である。
【図７】図７ａ、図７ｂは図６ａの噴射部材にコインを取り付ける手段を示す側面断面図であり、図７ｃはその噴射部材を取り外す手段を示す側面断面図である。
【図８】図８ａ、図８ｂ、図８ｃ、図８ｄは本発明の噴射部材のさらに他の実施形態を示す正面図、背面図、側面断面図、平面図である。
【符号の説明】
【００４４】
Ａ      エアゾール組成物
１０    エアゾール製品
１１    耐圧容器
１１ａ  底部
１１ｂ  胴部
１１ｃ  目金
１１ｄ  ビード部
１２    バルブ
１３    エアゾール容器
１４    噴射部材
１６    コイン
１９    マウンティングカップ
２０    ハウジング
２１    ステム
２２    ディップチューブ
２４    カバー部材
２４ａ  側壁部
２５    押しボタン
２５ａ  押しボタンの天面
２７    装着部
３０    スリット
３０ａ  スリットの下面
３５    ステム装着部
３６    噴射孔
３７    通路
１３０  噴射部材
１３１  押しボタン
１３２  カバー部材
１３３  噴射ノズル
１３４  押しボタン本体
１３５  係合部
１３６  基端部
１３７  第１通路
１３８  ノズル部
１３９  噴射孔
１４０  噴射部
１４１  第２通路
１４２  噴射孔
１４３  チップ
１４４  ステム装着部
１４５  Ｌ字型通路
１４６  装着部
１４７  上部開口部
１４８  前方開口部
１４９  カバー部
１５０  薄肉部
１５１  操作部
１５１ａ  操作部の天面
１５２  カバー部材の天面
１５３  係止部
１５３ａ  係止部の下面
１６０  噴射部材
１６１  装着部
１６２  側壁部
１６３  カバー部材
１６４  噴射ノズル
１６４ａ、ｂ、ｃ  噴射孔
１６５  押しボタン
１６５ａ  押しボタンの天面
１６５ｂ  円弧状の側壁
１６６  突起
１６６ａ  突起上部
１６６ｂ  突起下部
１６７  係止段部
１６７ａ  係止段部の下面
１６８  スリット
１６９  突出部
１６９ａ  突出部上部
１６９ｂ  突出部下部
１７０  噴射部材
１７１  カバー部材
１７２  押しボタン
１７２ａ  押しボタンの天面
１７２ｂ  側壁
１７３  装着部
１７４ａ、ｂ  側壁部
１７５  突起
１７５ｂ  突起下面
１７６  スリット
１７７  係止段部
１７７ａ  係止段部の下面
【図１】
2007331844.tif 000003
【図２】
2007331844.tif 000004
【図３】
2007331844.tif 000005
【図４】
2007331844.tif 000006
【図５】
2007331844.tif 000007
【図６】
2007331844.tif 000008
【図７】
2007331844.tif 000009
【図８】
2007331844.tif 000010